(57)【要約】【課題】揺動選別体におけるチャフシーブに円滑に選別風を案内する脱穀装置における選別風の案内部を提供することを課題としている。【解決手段】唐箕ファン７の後方側に設けられた送風口２２の外側に、揺動選別体９におけるチャフシーブ１８側に選別風を案内する案内部２３を、送風案内開始側が水平に対して急傾斜をなし、送風案内終端側に向かって順次緩傾斜となる案内面２７を送風口２２の外側上方に備えさせて設けた。また案内面２７を唐箕ファン７のケース側の固定案内面２７ａと、揺動選別体９側の可動案内面２７ｂとに分割した。【選択図】          図１
2004350648.tif 000002
【特許請求の範囲】
【請求項１】
扱胴（１）による脱穀後の処理物の選別用の選別風を送風せしめる唐箕ファン（７）と、該唐箕ファン（７）の後方に配置され、揺動動作によって上記処理物の選別を行なう揺動選別体（９）とを備え、揺動選別体（９）が、粗選別用のチャフシーブ（１８）と、該チャフシーブ（１８）の下方に位置するグレンシーブ（１９）とを有し、唐箕ファン（７）の後方側に選別風を排出せしめる送風口（２２）を設け、送風口から送風せしめられる選別風を、チャフシーブ（１８）及びグレンシーブ（１９）にそれぞれ分けて送風する脱穀装置において、送風口（２２）の外側に、チャフシーブ（１８）側に選別風を案内する案内部（２３）を設け、該案内部（２３）が、送風案内開始側が水平に対して急傾斜をなし、送風案内終端側に向かって順次緩傾斜となる案内面（２７）を送風口（２２）の外側上方に備えてなる脱穀装置における選別風の案内部。
【請求項２】
案内部（２３）が、揺動選別体（９）と一体的に揺動する可動部（２６ｂ）と、唐箕ファン（７）のケース（２１）側に固定的に設けられる固定部（２６ａ）とからなり、案内面（２７）が固定部（２６ａ）側の固定案内面（２７ａ）と、可動部（２６ｂ）側の可動案内面（２７ｂ）とから構成され、案内面（２７）の急傾斜部分が固定案内面（２７ａ）側に設けられ、案内面（２７）の緩傾斜部分の途中で固定案内面（２７ａ）と可動案内面（２７ｂ）とに分けられている請求項１の脱穀装置における選別風の案内部。
【発明の詳細な説明】
【０００１】
【発明の属する技術分野】
この発明は、脱穀装置における選別風の案内部に関する。
【０００２】
【従来の技術】
従来扱胴による脱穀後の処理物の選別用の選別風を送風せしめる唐箕ファンと、該唐箕ファンの後方に配置され、揺動動作によって上記処理物の選別を行なう揺動選別体とを備え、揺動選別体が、粗選別用のチャフシーブと、該チャフシーブの下方に位置するグレンシーブとを有し、唐箕ファンの後方側に選別風を排出せしめる送風口を設けて、送風口から送風せしめられる選別風を、チャフシーブとグレンシーブとにそれぞれ分けて送風する脱穀装置が公知となっている（例えば特許文献１参照）。
【０００３】
【特許文献１】
特開平０７−２８９０６９号公報
【０００４】
【発明が解決しようとする課題】
しかし上記脱穀装置は、側面視で直線状の送風路を形成しているため、選別風が特に上側に位置するチャフシーブに案内される際に、ケーシングに当たり風向きが変わり、渦等が発生して風流が安定せず、この結果選別効率が低下するという問題点があった。
【０００５】
【課題を解決するための手段】
上記課題を解決するための本発明の脱穀装置における選別風の案内部は、扱胴１による脱穀後の処理物の選別用の選別風を送風せしめる唐箕ファン７と、該唐箕ファン７の後方に配置され、揺動動作によって上記処理物の選別を行なう揺動選別体９とを備え、揺動選別体９が、粗選別用のチャフシーブ１８と、該チャフシーブ１８の下方に位置するグレンシーブ１９とを有し、唐箕ファン７の後方側に選別風を排出せしめる送風口２２を設け、送風口から送風せしめられる選別風を、チャフシーブ１８及びグレンシーブ１９にそれぞれ分けて送風する脱穀装置において、送風口２２の外側に、チャフシーブ１８側に選別風を案内する案内部２３を設け、該案内部２３が、送風案内開始側が水平に対して急傾斜をなし、送風案内終端側に向かって順次緩傾斜となる案内面２７を送風口２２の外側上方に備えてなることを第１の特徴としている。
【０００６】
また案内部２３が、揺動選別体９と一体的に揺動する可動部２６ｂと、唐箕ファン７のケース２１側に固定的に設けられる固定部２６ａとからなり、案内面２７が固定部２６ａ側の固定案内面２７ａと、可動部２６ｂ側の可動案内面２７ｂとから構成され、案内面２７の急傾斜部分が固定案内面２７ａ側に設けられ、案内面２７の緩傾斜部分の途中で固定案内面２７ａと可動案内面２７ｂとに分けられていることを第２の特徴としている。
【０００７】
【発明の実施の形態】
図１，図２は本発明を応用した脱穀装置の要部側方概略図であり、該脱穀装置は、刈取穀稈を脱穀する脱穀室内に、穀稈を脱穀処理する扱胴１と、脱穀された穀粒に屑，切れ藁等が含まれた扱降し物（処理物）を漏下する扱網４とが設けられている。脱穀室の下方には、この扱胴１による脱穀後の処理物から脱穀された穀粒を選別する選別室２が設けられている。脱穀室の側方には、刈取穀稈を扱胴１に沿って搬送するフィードチェーン３が設けられている。
【０００８】
上記選別室２内には、選別風を起風する唐箕ファン７と、藁屑等の塵芥を強制排出する排塵ファン８とが前後に設置されており、唐箕ファン７と排塵ファン８により形成される選別風路中に、扱網４によって漏下された処理物を揺動選別する揺動選別体９が前後方向に揺動可能に装架されている。また揺動選別体９によって選別された一番物を収容する一番収容部１１及び二番物を収容する二番収容部１２も設けられている。
【０００９】
さらに選別室２内には、一番物を一番収容部１１の端部まで横搬送する一番横らせん１３，二番物を二番収容部１２の端部まで横搬送する二番横らせん１４，一番収容部１１と二番収容部１２との間に揺動選別体９側に向けて下方から副選別風を送風する送風ファン１６等も設けられている。
【００１０】
上記揺動選別体９は、扱網４より漏下された処理物を揺動により後方に移送する揺動流板１７と、該揺動流板１７の後方に配置され、揺動流板１７により移送された処理物を濾過する第１チャフシーブ１８とが張設されている。また該第１チャフシーブ１８の下方には第２チャフシーブ１５が設けられ、該第２チャフシーブ１５の下方に網状のグレンシーブ１９が張設されている。
【００１１】
さらにグレンシーブ１９の後方には、後方に向かって延出するストローラック２０が設けられており、揺動選別体９は、上記揺動流板１７，第１チャフシーブ１８，第２チャフシーブ１５，グレンシーブ１９，ストローラック２０等が一体的に枠組み形成されている。
【００１２】
そして上記揺動選別体９は、選別室２内に、その前後が揺動自在に支持されて着脱可能に支架されており、これにより上記脱穀装置は従来のコンバイン等の脱穀装置と同様に脱穀，選別，穀粒の搬送動作等を行う。
【００１３】
すなわち扱網４より漏下された処理物が揺動流板１７によって後方に移送され、この移送された処理物が第１チャフシーブ１８によって濾過されて第２チャフシーブ１５に落下せしめられ、さらに第２チャフシーブ１８によって濾過されてグレンシーブ１９に落下せしめられ、一部はグレンシーブ１９によって選別されてグレンシーブ１９の下方に落下せしめられて一番物として一番収容部１１に収容され、残りはグレンシーブ１９の後方に移送され、ストローラック２０を介して二番物として二番収容部１２に落下収容せしめられ、２つのチャフシーブによって２段選別される。
【００１４】
このとき機体内で発生する藁屑等の塵芥は唐箕ファン７及び排塵ファン８で形成される選別風によって選別風路から連続する排塵風路に沿って誘導され、排塵ファン８で吸引されて排塵口１６から機外に排出される。例えば第１チャフシーブ１８によって濾過された処理物は、第２チャフシーブ１５に到着するまでに、当該処理物に混入する藁屑等の塵芥の一部が、第１チャフシーブ１８の下方に送風される選別風によって排塵口１６側に吹き飛ばされる。
【００１５】
また第２チャフシーブ１５によって濾過された処理物に混入する藁屑等の塵芥の一部や、グレンシーブ１９から落下せしめられる一番物に混入する藁屑等の塵芥も、上記第１チャフシーブ１８の場合と同様に、第２チャフシーブ１５又はグレンシーブ１９の下方に送風される選別風によって、排塵口１６側に吹き飛ばされ、以上により穀粒の選別が行なわれる。
【００１６】
一方前述の唐箕ファン７は、脱穀装置側に設けられたファンケース２１内に収容されており、揺動流板１７より下側に位置し、且つ両チャフシーブ１８，１５及びグレンシーブ１９の前方側に位置している。そしてファンケース２１の後方には選別風の送風口２２が開口して設けられている。このとき送風口２２は、両チャフシーブ１８，１５より下側に位置している。
【００１７】
そして送風口２２の外側には、送風口２２からの選別風を両チャフシーブ１８，１５及びグレンシーブ１９側に案内する案内部２３がファンケース２１に連続するように設けられている。このとき案内部２３内には、第１チャフシーブ１８の下方に選別風を案内する第１チャフシーブ送風路２３ａと、第２チャフシーブ１５の下方に選別風を案内する第２チャフシーブ送風路２３ｂと、グレンシーブ１９の下方に選別風を案内するグレンシーブ送風路２３ｃとが２つの仕切り部２４，２５によって仕切られて形成されている。
【００１８】
なお前述の唐箕ファン７は左側面視（図１）において矢印に示されるように反時計回りに回転し、選別風は反時計回りの渦巻状に形成されて送風口２２から排風される。一方上記案内部２３の上部壁２６の内面２７は、第１チャフシーブ送風路２３ａにおける選別風の一連の案内面となり、左側面視において、送風口２２から排風される選別風に接するような円弧状をなし、先端が送風口２２の端部に連接しているとともに、後端が第１チャフシーブ１８の前端に近接している。
【００１９】
そして円弧状をなす上記上部壁２６の内面２７は、水平線との交点近傍位置において送風口２２に連接し、垂直線との交点近傍位置が後端となっており、これにより上記案内部２３の上部壁２６の内面２７、すなわち案内面は、第１チャフシーブ１８側への送風案内開始側となる先端側がファン７の送風方向に沿って水平に対して急傾斜をなし、送風案内終端側に向かって順次緩傾斜となっている。
【００２０】
これにより送風口２２から排風される選別風は、該選別風に接するような円弧状をなす上部壁２６の内面２７の急傾斜部分によって、送風口からの排出開始時の流れに沿って円滑に案内部２３内に導入され、送風口２２より上方に位置して設けられる第１チャフシーブ１８の下方側に、上記上部壁２６の内面２７の緩傾斜部分によって円滑に案内される。
【００２１】
以上のように選別風は、送風口２２から第１チャフシーブ１８側までスムーズに流れ、途中で渦等が発生して風流が安定しない等の不都合がなく、第１チャフシーブ１８側において効率よく処理物を選別することができ、選別効率が向上する。
【００２２】
なお送風口２２の下端側においては、選別風の内側への巻き込み方向の力が弱いため、選別風の一部は円滑に送風口２２から排出され、送風口２２の下端側に形成されるグレンシーブ送風路２３ｃには上記円弧状の案内面２７を設けることなく円滑に選別風が供給される。
【００２３】
また送風口２２の中間位置は、選別風が送風口２２側に逃げようとする位置となるため、選別風の一部は円滑に送風口２２から排出され、第１チャフシーブ送風路２３ａとグレンシーブ送風路２３ｃとの間に形成され、概ね送風口２２の中間に位置する第２チャフシーブ送風路２３ｂにも上記円弧状の案内面２７を設けることなく円滑に選別風が供給される。
【００２４】
なお第２チャフシーブ送風路２３ｂには、送風口２２側に逃げようとする選別風が供給されるため、グレンシーブ送風路２３ｃに供給される選別風より強い選別風が供給される。そして第１チャフシーブ送風路２３ａには、渦巻状にファン側に戻ろうとする選別風が案内面２７によって円滑に導入されるため、第２チャフシーブ送風路２３ｂに供給される選別風より強い選別風が供給される。
【００２５】
すなわち選別風は、グレンシーブ送風路２３ｃ，第２チャフシーブ送風路２３ｂ，第１チャフシーブ送風路２３ａの順に強くなっている。
【００２６】
一方図２に示されるように、前述の案内部２３の上部壁２６を、先端がファンケース２１の送風口２２に一体的に固定された固定壁２６ａと、後端が揺動選別体９に固定され、揺動選別体９と一体的に揺動する可動壁２６ｂとに分割して構成し、上記案内面２７を固定壁２６ａの内面２７ａと、可動壁２６ｂの内面２７ｂとから構成することもできる。
【００２７】
そして案内面２７は緩傾斜部分で２つ（固定壁２６ａの内面２７ａと可動壁２６ｂの内面２７ｂ）に分割されており、２つの面が不連続ではあるが、前述のような１つの円弧に沿って続く一連の案内面２７となるが、不連続部分は緩傾斜部分となるため、固定壁２６ａの内面２７ａによって第１チャフシーブ１８側に案内される選別風は、可動壁２６ｂの内面２７ｂに円滑に受け継がれる。
【００２８】
このとき可動壁２６ｂの内面２７ｂの後端位置と第１チャフシーブ１８の位置とは、揺動選別体９が揺動しても常に一定であるため、これにより揺動選別体９が揺動しても、可動壁２６ｂの内面２７ｂによって選別風は第１チャフシーブ１８の下方側の所定位置に確実に送風され、揺動選別体９の揺動に伴う選別風の吹き付け位置の変動が防止され、選別のバラツキが防止される。
【００２９】
なお図２において図１と同一符号は同一部品を示し、同一機能については説明を割愛する。
【００３０】
また図１，図２ともに前述のように２段選別タイプの脱穀装置を例に説明したが、チャフシーブが１つ設けられた１段選別タイプの脱穀装置に上記案内面２７を設けた案内部２３を設けても良く、この場合は、送風口２２より上側に位置する唯一のチャフシーブ側に円滑に強い選別風を送風することができる。
【００３１】
【発明の効果】
以上のように構成される本発明の構造によると、送風口から排出されて送風される選別風は、送風口からの排出開始時の流れに沿って案内面による案内が開始され、案内面によって円滑にチャフシーブ側に案内されるため、送風口からチャフシーブ側までの選別風がスムーズに流れ、途中で渦等が発生して風流が安定しない等の不都合が防止され、チャフシーブ側において効率よく処理物を選別することができるという効果がある。
【００３２】
また揺動選別体は揺動しながら処理物を選別する構成であり、このため案内部を、揺動選別体と一体的に揺動する可動部と、唐箕ファンのケース側に固定的に設けられる固定部とから構成することによって、上記同様固定部の固定案内面により終端側に円滑に案内される選別風を、可動部側の可動案内面が揺動状態の揺動選別体と一体となって揺動して、案内面の緩傾斜部分で円滑に受け継ぎ、チャフシーブ側に確実に案内することができるという利点がある。
【図面の簡単な説明】
【図１】脱穀装置の側面要部概略図である。
【図２】案内部を分割構造とした脱穀装置の側面要部概略図である。
【符号の説明】
１      扱胴
７      唐箕ファン
９      揺動選別体
１８    第１チャフシーブ（チャフシーブ）
１９    グレンシーブ
２２    送風口
２３    案内部
２７    案内面
２６ｂ  可動壁（可動部）
２１    ファンケース（ケース）
２６ａ  固定壁（固定部）
２７ａ  固定案内面
２７ｂ  可動案内面
【図１】
2004350648.tif 000003
【図２】
2004350648.tif 000004